(57)【要約】【課題】  はんだ付け不良を改善すると共にヤニ入りはんだの固体フラックスの膨張爆発の生じるおそれがないようにすること目的とする。【解決手段】  線状のはんだ１ａの中央に固体フラックス１ｂが入ったヤニ入りはんだ１を案内する案内部２と、このヤニ入りはんだ１の所定部分がはんだごて２０の熱で容易に溶融するように加工する加工手段４ａ，４ｂ，４ｃ，４ｄとを有するものである。【選択図】        図１
2005262297.tif 000002
【特許請求の範囲】
【請求項１】
線状のはんだの中央に固体フラックスが入ったヤニ入りはんだを案内する案内部と、
前記ヤニ入りはんだの所定部分がはんだごての熱で容易に溶融するように加工する加工手段とを有することを特徴とするヤニ入りはんだ加工装置。
【請求項２】
請求項１記載のヤニ入りはんだ加工装置において、
前記加工手段は前記ヤニ入りはんだのはんだ部分に線方向に沿った少なくとも１つの溝を形成する回転切削手段と、
前記回転切削手段を駆動する駆動手段とを有することを特徴とするヤニ入りはんだ加工装置。
【請求項３】
請求項２記載のヤニ入りはんだ加工装置において、
前記回転切削手段の回転方向は前記ヤニ入りはんだの接触部分が前記ヤニ入りはんだの線方向としたことを特徴とするヤニ入りはんだ加工装置。
【請求項４】
請求項２記載のヤニ入りはんだ加工装置において、
前記ヤニ入りはんだの線方向の溝が所定長さになったときに前記駆動手段を停止させる停止手段を設けたことを特徴とするヤニ入りはんだ加工装置。
【請求項５】
請求項１記載のヤニ入りはんだ加工装置において、
前記加工手段は前記ヤニ入りはんだのはんだ部分の形状を円筒形状から部分的に薄肉部を有する異形状に回転圧延して加工する回転圧延手段と、
前記回転圧延手段を駆動する駆動とを有することを特徴とするヤニ入りはんだ加工装置。
【請求項６】
請求項５記載のヤニ入りはんだ加工装置において、
前記回転圧延手段の回転方向は前記ヤニ入りはんだとの接触部分が前記ヤニ入りはんだの線方向としたことを特徴とするヤニ入りはんだ加工装置。
【請求項７】
請求項５記載のヤニ入りはんだ加工装置において、
前記ヤニ入りはんだの断面形状が異形状に回転圧延された部分が所定長さになったときに前記駆動手段を停止させる駆動停止手段を設けたことを特徴とするヤニ入りはんだ加工装置。
【請求項８】
線状のはんだの中央に固体フラックスが入ったヤニ入りはんだを使用すると共にはんだごてを使用してはんだ付けするはんだ付け方法であって、
前記ヤニ入りはんだの所定部分が前記はんだごての熱で容易に溶融するように加工した後にはんだ付けを行うようにしたことを特徴とするはんだ付け方法。
【請求項９】
請求項８記載のはんだ付け方法において、
前記はんだごての熱で容易に溶融する加工が前記ヤニ入りはんだのはんだ部分に線方向に沿った少なくとも１つの溝を形成することであることを特徴とするはんだ付け方法。
【請求項１０】
請求項８記載のはんだ付け方法において、
前記はんだごての熱で容易に溶融する加工が前記ヤニ入りはんだの形状を円筒形状から部分的に薄肉部を有する異形状に回転圧延加工することであることを特徴とするはんだ付け方法。
【発明の詳細な説明】
【技術分野】
【０００１】
本発明は線状のはんだの中央に固体フラックスが入ったヤニ入りはんだを使用すると共にはんだごてを使用してはんだ付けするのに使用して好適なヤニ入りはんだ加工装置及びはんだ付け方法に関する。
【背景技術】
【０００２】
一般に、図６に示す如き線状のはんだ１ａの中央に固体フラックス１ｂが入ったヤニ入りはんだ１を使用すると共にはんだごてを使用してはんだ付けすることが行われている。
【０００３】
このはんだ付けの一般的プロセスは以下の通りである。
一般に被はんだ付け金属（母材、例えば基板の銅）の表面には酸化皮膜が存在するので、この表面にフラックスが塗布され、はんだごてによる温度上昇によりフラックスの濡れを生じ、このフラックスの活性度が増し、この酸化皮膜が除去され、清浄な金属表面が露出され、この清浄な金属表面と溶融はんだとが接触し、この金属とはんだとが反応し、界面に金属間化合物（合金層）が生成され、その後はんだが凝固し、はんだ付けが完了する。
【０００４】
また、一般にこのヤニ入りはんだを製造するのに、はんだインゴットを押出し機より必要な径まで加工して、更にヤニ注入を交えた押出し機でヤニ入り状態に加工し、その後、伸縮機で必要な径まで細く加工し、図６、図２Ａに示す如く線状のはんだ１ａの中央に固体フラックス１ｂが入ったヤニ入りはんだ１を得る如くしていた。
【発明の開示】
【発明が解決しようとする課題】
【０００５】
上述した如くはんだ付けのプロセスにおいては、先ずフラックスを溶融して、金属表面の酸化皮膜を除去し、その後溶融はんだが清浄な金属表面に接触することが必要であるが、線状のはんだ１ａの中央に固体フラックス１ｂが入ったヤニ入りはんだ１を使用すると共にはんだごて使用してはんだ付けを行ったときは、はんだごての温度、はんだ付け対象物の酸化度合、熱容量等によりこの固体フラックスとはんだとが同時に溶融する等上述のプロセスに沿わない場合が生じ、はんだ付け不良を生じるおそれがあった。
【０００６】
また、線状のはんだ１ａの中央に固体フラックス１ｂが入ったヤニ入りはんだ１を使用すると共にはんだごてを使用してはんだ付けを行ったときは、はんだごてにより加熱したときに周囲のはんだ１ａの溶融が遅れ、中央の固体フラックス１ｂが溶融し膨張したときは爆発を生じフラックスの飛散が生じることがあり、このときは被はんだ部品、例えばスイッチ等の接点にこのフラックスが被着し接点不良を生じたり、汚染等の不都合が生じるおそれがあった。
【０００７】
本発明は斯る点に鑑み、はんだ付け不良を改善すると共にヤニ入りはんだの固体フラックスの膨張爆発の生じるおそれがないようにすることを目的とする。
【課題を解決するための手段】
【０００８】
本発明ヤニ入りはんだ加工装置は、線状のはんだの中央に固体フラックスが入ったヤニ入りはんだを案内する案内部と、このヤニ入りはんだの所定部分がはんだごての熱で容易に溶融するように加工する加工手段とを有する。
【０００９】
また、本発明はんだ付け方法は線状のはんだの中央に固体フラックスが入ったヤニ入りはんだを使用すると共にはんだごてを使用してはんだ付けするはんだ付け方法であって、このヤニ入りはんだの所定部分がはんだごての熱で容易に溶融するように加工した後にはんだ付けを行うようにしたものである。
【発明の効果】
【００１０】
本発明によれば、このヤニ入りはんだの所定部分が、はんだごての熱で容易に溶融するように加工するようにしたので、はんだごてを使用してはんだ付けするときに、溶融点の低い固体フラックスが先に溶融して濡れ生じ、被はんだ金属表面の酸化皮膜を除去して金属表面を清浄し、その後はんだが溶融してこの清浄した金属表面とはんだとが接触するので上述はんだ付けプロセスに沿った良好なはんだ付けができる。
【００１１】
また、本発明によれば、ヤニ入りはんだの所定部分が、はんだごての熱で容易に溶融するように加工するので、はんだごての加熱によりはんだが容易に溶融するので、はんだの溶融が遅れることがなく固体フラックスが、溶融し膨張爆発が発生し難くなる。
【発明を実施するための最良の形態】
【００１２】
以下、図１〜図３を参照して本発明ヤニ入りはんだ加工装置及びはんだ付け方法を実施するための最良の形態の例につき説明する。
【００１３】
図１は、本例によるヤニ入りはんだ加工装置を示し、図１において、２は、このヤニ入りはんだ加工装置の筐体３の前面中央に開口２ａが配された筒状の所定長さの、線状のはんだ１ａの中央に固体フラックス１ｂが入ったヤニ入りはんだ１を案内する案内体を示す。
【００１４】
この案内体２は、この案内体２内に、このヤニ入りはんだ１を直線状に所定長さ挿入できる如くなされている。この案内体２の所定位置の上下左右の４ヶ所に後述する回転研磨刃を夫々挿入する長方形の研磨刃挿入孔２ｂ，２ｂ，２ｂ，２ｂを設ける。
【００１５】
この研磨刃挿入孔２ｂ，２ｂ，２ｂ及び２ｂに回転切削手段を構成する回転研磨刃４ａ，４ｂ，４ｃ及び４ｄが所定深さ挿入される如くする。この回転研磨刃４ａ，４ｂ，４ｃ及び４ｄはヤニ入りはんだ１が案内体２に挿入されたときに、このヤニ入りはんだ１のはんだ１ａの部分に線方向に沿った所定長さ例えば３〜５ｃｍの図２Ｂに示す如き溝１ｃを形成する。
【００１６】
この回転研磨刃４ａの回転駆動は駆動モータ５の回転を、回転研磨刃４ａと同軸に設けられた駆動ギヤ６に伝達して行われ、回転研磨刃４ｂの回転駆動は、駆動ギヤ６に歯合された回転研磨刃４ｂと同軸に設けられた駆動ギヤ７の回転により行なわれる。
【００１７】
また、この回転研磨刃４ｄの回転駆動は駆動モータ８の回転を、この回転研磨刃４ａと同軸に設けられた駆動ギヤ９に伝達して行なわれ、回転研磨刃４ｃの回転駆動は駆動ギヤ９に歯合された回転研磨刃４ｃと同軸に設けられた駆動ギヤ１０の回転により行なわれる。
【００１８】
この場合、回転研磨刃４ａ，４ｂ，４ｃ及び４ｄの回転方向はヤニ入りはんだ１の挿入方向とする。またこの回転研磨刃４ａ，４ｂ，４ｃ，４ｄにより形成されるヤニ入りはんだ１のはんだ１ａ部の線方向の溝１ｃの長さを所定長例えば３〜５ｃｍ形成する如くする。
【００１９】
本例においては、この溝１ｃの長さが所定長となったときにこの案内体２内の奥側に設けた例えばマイクロスイッチ（図示せず）をこのヤニ入りはんだ１の先端が接触して操作し、この駆動モータ５及び８を停止するようにする。
【００２０】
本例によるヤニ入りはんだ加工装置を使用し加工したときは、ヤニ入りはんだ１の先端から所定長例えば３〜５ｃｍの断面が図２Ｂに示す如く上下左右の４本の溝１ｃが形成されたものとなる。
【００２１】
本例において、ヤニ入りはんだ１を使用すると共にはんだごて２０を使用してはんだ付けを行なうときは、このヤニ入りはんだ加工装置を使用してヤニ入りはんだ１の先端より所定長例えば３〜５ｃｍのはんだ１ａの部分に図２Ｂに示す如き４本の溝１ｃを形成した後に行なう。
【００２２】
本例によればこのヤニ入りはんだ１のはんだ１ａ部分に溝１ｃが設けられているので、はんだごて２０で、このヤニ入りはんだ１の先端部を加熱したときは、溝１ｃの底部１ｄがはんだごて２０の熱で容易に溶融しはんだ１ａより低融点の固体フラックス１ｂより溶融フラックスが溝１ｃを通って出やすくなるので、濡れ性が向上する。
【００２３】
このため、本例においては図３に示す如く、この加工後のヤニ入りはんだ１を使用すると共にはんだごて２０を使用してはんだ付けしたときには、金属表面２１を、先ず熱せられた部分２２が広がり、次に溶融フラックス２３が広がり、その後溶融はんだ２４が広がるので、清浄された金属表面に溶融はんだが接触することになり良好なはんだ付けを行なうことができる。
【００２４】
また、本例によれば、このヤニ入りはんだ１のはんだ１ａ部分に溝１ｃが設けられているので、はんだごて２０で、このヤニ入りはんだ１の先端部を加熱したときは、溝１ｃの底部１ｄがはんだごて２０の熱で容易に溶融しはんだ１ａより低融点の固体フラックス１ｂよりの溶融フラックスが溝１ｃを通って出やすくなるので、この溶融フラックスの膨張爆発が発生し難い。
【００２５】
尚上述例ではヤニ入りはんだ１のはんだ１ａ部分に４本の溝１ｃを設けた例につき述べたが、この溝１ｃは１本以上であれば良く、上述同様の作用効果が得られる。
【００２６】
図４Ａ，Ｂはヤニ入りはんだ加工装置を実施するための最良の形態の他の例を示す。この図４Ａ，Ｂを説明するに図１に対応する部分には同一符号を付して示す。
【００２７】
図４Ａ，Ｂにおいて、３はこの加工装置の筐体を示し、この筐体３の前面の中央に案内体２のヤニ入りはんだ１の挿入口である開口２ａが配されている。本例においては、この案内体２の筒の形状もヤニ入りはんだ１の図２Ａに示す如き断面よりも横方向を大とする如くする。
【００２８】
この案内体２はこの案内体２内に、このヤニ入りはんだ１を直線状に所定長さ挿入できる如くなす。この案内体２の所定位置に回転圧延手段である２本の回転ローラ（図示せず）を設ける如くする。
【００２９】
この回転ローラは、ヤニ入りはんだ１を押しつぶし、このヤニ入りはんだ１のはんだ１ａの形状を図２Ａに示す如き円筒形状から異形状例えば図５Ａに示す如き部分的にはんだ１ａの肉厚が薄くなった楕円形状とする。この場合、図５Ｂに示す如き三角形状、図５Ｃに示す如き四角形状等その他の部分的にはんだ１ａの肉厚が薄くなった異形状とするようにしても良い。
【００３０】
この２本の回転ローラは駆動モータにより回転駆動され、この２本の回転ローラの回転方向はヤニ入りはんだ１の挿入方向とし、この２本の回転ローラにより、ヤニ入りはんだ１の断面形状を線方向に沿って異形状、例えば楕円形状とする長さを所定長例えば３〜５ｃｍとする。
【００３１】
本例においては、この異形状例えば楕円形状の長さが所定長となったときに、この案内体２の奥側に設けた例えばマイクロスイッチをヤニ入りはんだの先端が接触して操作し、この駆動モータを停止し、回転ローラの回転を停止するようにする。
【００３２】
本例によるヤニ入りはんだ加工装置を使用し加工したときはヤニ入りはんだ１の先端から所定長例えば３〜５ｃｍの断面形状が異形状例えば図５Ａに示す如く楕円形状となる。
【００３３】
本例において、ヤニ入りはんだ１を使用すると共にはんだごてを使用してはんだ付けを行なうときは、このヤニ入りはんだ加工装置を使用して、ヤニ入りはんだ１の先端より所定長例えば３〜５ｃｍ断面異形状例えば図５Ａに示す如き断面楕円形状とした後に行なう。
【００３４】
斯る本例においても上述例同様の作用効果が得られることは容易に理解できよう。
【００３５】
尚、本発明は上述例に限ることなく本発明の要旨を逸脱することなく、その他種々の構成が採り得ることは勿論である。
【図面の簡単な説明】
【００３６】
【図１】本発明ヤニ入りはんだ加工装置を実施するための最良の形態の例を示す構成図である。
【図２】本発明の説明に供するヤニ入りはんだの断面図である。
【図３】本発明の説明に供する線図である。
【図４】本発明ヤニ入りはんだ加工装置を実施するための最良の形態の他の例を示す構成図である。
【図５】ヤニ入りはんだの加工例を示す断面図である。
【図６】ヤニ入りはんだの例を示す斜視図である。
【符号の説明】
【００３７】
１‥‥ヤニ入りはんだ、１ａ‥‥はんだ、１ｂ‥‥固体フラックス、１ｃ‥‥溝、２‥‥案内体、２ｂ‥‥研磨刃挿入孔、４ａ，４ｂ，４ｃ，４ｄ‥‥回転研磨刃、５，８‥‥駆動モータ、６，７，９，１０‥‥駆動ギヤ、２０‥‥はんだごて
【図１】
2005262297.tif 000003
【図２】
2005262297.tif 000004
【図３】
2005262297.tif 000005
【図４】
2005262297.tif 000006
【図５】
2005262297.tif 000007
【図６】
2005262297.tif 000008